(57)【要約】      （修正有）【課題】工事現場におけるカラーコーンの頭部に嵌着するバリケードや安全帯の命綱等に用いることができる汎用性のある携帯式のリール付きコンベックスを提供する。【解決手段】  円筒形若しくは四角形の形状をなすリール付きコンベックス２１，２２にフリー帯２５を巻き取り、それぞれのフリー帯の端部にフック１９及びゴムリング２３を装着し、これをカラーコーン８の頭部や単管２０に係止することにより、リール付きコンベックスをカラーコーン頭部のバリケードや安全帯の命綱として使用することができる。また、リール付きコンベックスには引き出されたフリー帯を必要長さで止められるストッパーを備えている。【選択図】図１
2008285985.tif 000002
【特許請求の範囲】
【請求項１】
単立の円筒形、若しくは、四角形の型にある、リール付コンベックスに、ストッパーを付け、之を単独にして用い、安全ベルトに捕足できる、捕足金具を付ける請求をして、
【請求項２】
この単独にして、用いられる、コンベクスを、単立１コから、２個にする、強靭に接合させ、二つのコンベックスから二本の安全帯を引き出させられる様に工夫する、之を、縦方向、横方向に結合し、引き出された安全帯には、本論文内容に示される、正反対色となる拒絶色にある色彩を施こし、自由に、申縮させ、使用できる命綱を発明する請求。
【請求項３】
この様に単立に用いられる事が可能になった安全帯は、上部より連結させ、垂らして、用いる事も可能にもなる他、「フック取替自在鉤」で連結される、自在安全帯では、「工事場所」他、「特定侵入禁止場所」に対して簡易にカラーコーン等に繋ぎ、バリケード帯にも転用でき、之に拒絶色（同一面に紅白色の様な反対色）を施こす請求。
【請求項４】
現在、各家庭で用いられている、「蠅張」の骨組機構に似せて作られる、之が持っている紐の替わりに、雨傘の持つ骨組の逆の構造を持た柄を之に付けさせ、上方に引っ張り上げる事で、この原理を使い、下方にある傘の部位がラッパ状に開き、中の電灯が点灯できる構造で、新型のカラーコーン。バリブレラーが発明される事への請求をして、これを更に大型化させる時、人が入れるテントまで出来る事を発明する請求。
【発明の詳細な説明】
【技術分野】
【０００１】  従来の技術にある安全帯は、安全バンドから取り外す事が難しく、時間がかかった時、本発明、フリータイ（Ｔ．６６０）では、ワンタッチで取り付け、取り外しが出来る他、取り外され単立となった安全帯に拒絶色を施した際には非常に目立ち、天丼から吊す命綱や、カラーコーンを繋ぐ、帯バリに転用でき、これに、別特許品、発光ペンダントを付加させると、（特に夜間の）高所作業者の所在地が適格に分別される他、危険回避に役立ち、二本の安全帯を邪馬にせず、自在に出来る新技術力があった。
【背景技術】●発光ペンダント（Ｔ．４２０）  ●必ず眠れる枕（Ｔ．１）  ●示現流（Ｔ．２００）  ●ハンブレラ（Ｔ．５５０）
【発明の開示】
【発明が解決しようとする課題】
【０００２】  平成１９年３月５日（月）の事だったと思われた。新聞を見ると、学生の多く乗る電車が、通過する踏切りで遮断機の下りている所に、トレーラーが、「遮断機が見えなかった」事を理由に、之に侵入し、電車と衝突をし、大事故となった事が、大きく報導されていた。【０００３】  筆者は、科学者であり、生物（動物）が持つと言われる拒絶色を研究している最中の事であった。トレーラ事故とは関係無かったのかも知れないが、読者（特に脳科医）は御知であったであろうか？（Ｔ．４２０、発行ペンダント参照）【０００４】  あらゆる進化した脳、旧脳（小脳、海馬類）をして、新脳（大脳、大脳皮質類）を持つまでに進化した生物類は、筆者が新代科学で提唱する「拒絶色」を知り、以って、これを嫌い、この色彩色を見る時、脳があらゆる拒絶反応を示し、この色を持つ物に対し、この色を持つ者に恐怖を覚える時、行動、動作に制御がかかり、さもしないうちに、この色が見えなくなる事もあった。しかしながら、これを無視し、見つつけた際には、脳機能に障害さへ、起こすものとなった。そして、（Ｔ．１  必ず眠れる枕、参照）
特に、これらの色合いは、薄暗い所で見ていると、その効果は、大きいものとなった。【０００５】  かなり広い敷地を持つ、公園に棲息する、ノラ猫の掴まえて食べる、トカゲ、蛇、バッタを長期に渡って観察していた際、彼等は、決って、茶色い胴体に対して、鮮明な青色や他にある拒絶色を持つトカゲ。拒絶色にある、マダラ模様を持つ、バッタの前では尻込みし、これを見逃がし、食べないでいた。――之を捕獲する鼠も同じであった。【０００６】  筆者が、まだコドモであって、バッタ掴りをし、遊んでいた頃、毒々しい青色を茶色に対して体色に持つトカゲや、バッタを見る時、筆者のコドモの脳にも、之は、毒を持っているに違いない。と、思えざるを得ず、そこから離れる所となったが、美しささへ、感じる者も出た。《（この事は、死に怯える臨死床者の最後に、美しい花園（天国）が見える》事の脳機能切り替え状態にも似る程、絶絶色が生物に与える影響は大きかった。
これらの色合いは、現代科学でも、未だ、解明されず保護色、警戒色とも呼ばれているものであったが、それは、明らかに違うものであり、筆者が、新代科学に提唱する、拒絶色が本当の所であったが、筆者の観察研究による所、これら小動物は、鼠、猫他、天敵の多い地区に多く発生する傾向が見られる他、甚しい者には、緑色の体に紅色を取り込んで、緑の草原に生息している者も多く見られた。（考証論理は、別論文記載。）【０００７】  それ故、本発明される、拒絶色、発明用語の、反対語は、やはり、本発明用語に用いられる、認意色となるものであり、黄色（茶色）磁性体色を中心にして、用いられ、この色を見る者は、認意感を得る為、不動時には、よく目立ちながらもにも、速度を得る時、記憶には残りづらく、踏切、遮断機に見られる、黄色に反対色の黒線、点を附加して、人が、日常、生活品、トラロープ。バリケードに用い、応用した場合、虎、豹、他蜂、蝶、熱帯魚等が、多く体色に用いる程までに、見る者の脳（視神経）をマヒさせ、催眠効果を起こさせる効果を持っている事は、レベル２に達っする事において、白と黒色を体色に選んで用いている、ゼブラ、パンダに次ぐものであった。（黄色も拒絶色であった。）【０００８】  分り易く言うと、この色合いを見る者は、短期的に、脳神経に疑問を生じさせて後、二色以上用いた場合、すぐに、脳視神経が被労する為、その被労度数は、赤白、赤青等にある拒絶色より甚だ大きく、この色合いを長期間見続けた者には、催眠効果が表われ易く、（原因は、脳中に、アドレナリンから発生して後、メラトリンが交互に発生する為。）
この間、不安を感じて後、迷彩感を得るものとなり、短期記憶に強く残りながら、
この色合いを見る者にとっては、見てはいるものの、見えなくなる効果さへ生じさせている程、拒絶色の持つ特色と、驚異が表われ、大変危険な物となっていた。課題が生じた。
〔課題を解決する為の手段〕【０００９】  それ故、筆者の論文は、現代科学を離れ、今までに無かった新代科学を提唱するに至っており、甚だ、分りづらい所もあるので、釈明される。  ――この色合いを見る者
2008285985.tif 000003
く為、きれいな、熱帯魚を見た時の様な、心に安ぎを得る色合いを想定していただく効果があるものとなったが、【００１０】  この色合は、脳の興奮時にある短期記憶にある視覚神経には多大に作用するものの、前述される。その後、同等量のメラトリンが作用する後、催眠効果が生じる為、視覚神経の他、記憶神経、他にも働く際、目前にある実像、実形物さへ忘れてしまい、甚しい時には、意識障害さへ起こすものとなった。（Ｔ．必ず眠れる枕．参照）【００１１】  つまり、鉄道が、発促した、今から百数十年前には、夜間、住来する汽車などメッタになく、その頃、同時に発生し、現在に至るまで用いられる、黄色と、黒色ストライプを持つ拒絶色は、昼間の明るい所では、絶大な効力を発っするものの、薄暗い昏れ時にもなると、この色は、黒色のストライプ模模が目立たなくなる事において、安全色に変わっている事を、現代の科学を司る人々の未だ知らない所でもあったからであった。
――即ち、白色の原色をレベル１の拒絶色とする時、レベル２を黄色、レベル３を青色、レベル４を赤色。レベル５を黒色………等に振り分けて、筆者等、研究グループが研究している現在の所において、それ以上は、前記、記される、原色の拒絶色を取り合わせて随時、進んでゆくものとなっていた。。（当時は高速車も無かった。）【００１２】  それ故、時代遅れとなり、現代科学進歩の遅れから、今だ、踏切り遮断機、他、土木建設現場、道路工事現場等において、甚だ多く、虎模模にある、ロープ、バリケード他が用いられて止まない時、この黄色と黒のストライプ模様に対して、黄色に黒を混ぜて茶色（茶色は実は迷彩色であった。）を作り、之に附加すると。
【発明の効果】
【００１３】  （通行人も気が付かない物になっており）これでは足りない、と思われる事から、夜間、昏れ時には、赤色灯を追備される事で事で足りる物にはなっていたが、赤色灯の無い所においては、前記、論文の内容から安全色になっており、危険地区、地帯に用いた場合、この色合いの物は、大変に危険なものになっていた。【００１４】  考証論理で立証される時、この虎模様に、白色ストライプを加え、緑色のストライプを更に加えた際には、現代科学では、「迷彩色にある心理効果」と呼ぶが、筆者が提唱する新代、精神医学的見地に掴えた見地から説明される。「拒絶色の増し加えられた心理効果」と呼び、人の見る視神経が拒絶する度数が、レベル５を越えた物として、論説した時、この色合いを見る者の目には、ほぼ、めくら状態にさへなるものであった。
――即ち、現代において、使用されている踏切り、遮断機が、この様に汚れていたり、その近くに、青、白、緑、色の乱雑な色合いを持つ立て看板が多くあった時にもこの効果は生じる物となる際に、拒絶色は、催眠効果を得るままに、安全色となり、盲目のまま、吸い込まれる勢いで、そこに侵入してゆくものの、虎が狩術に体色に得ていた。
【発明を実施するための最良の形態】
【００１５】  それ故、拒絶色には、それ（催眠効果）を強める色合いの組み合わせ方と、そうでない色の組み合わせ方があったが、この様に色彩配列を間違えた場合、危険威示色にもなり、安全示勢色にもなる際、この色合の用い方は、大変に安全な物にも、大変危険な物にさへなった。（セロハンの円筒で、植物を囲うと植物は死んでしまう者も出る他、蜂や、虎は、動かないでいる時、大変目立って、動くと見えなくなる由以もここにあった。それ故、この色を見る者の動静は純くなるものであった。【００１６】  然るに、筆者が考えるに、「危険場所威示色」において、紅白色を用いた場合、遠方視覚に効果を出し、極至近距離においては、虎模様が絶大な効果を出す際、この二色割合での拒絶色の組み合わせ方は、現在、道路工事、交通整理、土木建設作業現場等に多く見られる、紅白のカラーコーンに、虎模様のバリケード棒を用い、危険のある箇所を、無知の第三者に知らせる方法としては、今以って最良の方法と思われたが、【００１７】  年代も変わり、車輌速度、と車輌台数が増え続ける現代の状況を、道路工事に携わり、現状を踏まえ、観察した時、スピードを得る無知の第三に、危険箇所を（遠方有効）伝えるには、（特に夜間、昏れ時には、）虎模様は安全色（心理効果現象）に変わり易く、殆と役には立たず、（むしろ有害）を思わせる時、紅白のカラーコーンに対して、虎模様のバリケード棒を止め、紅帯に白の反射する縞模様を入れてするバリケードにコンベックスリールを用いて使用した際にはガサ張らず、使用時には、大変目立ち、素早く、これを出し入れ出来るものとなり、【００１８】  従来の技術にある（ガサ張る）棒バリケードを作る（製作する）よりも、製作費や、ゴミにする時のコストが下がり、本発明品、固形型のコンベックスバリは軽量かつ、持ち運びにも便利となり、不使用時には、場所もとらず、ケミカル袋に大量に入れて保管する事も出来る形体物となり、使用時、風に揺れ動く際に、第三者の速度を純らせ、注意を得、
【実施例】
【００１９】  筆者がかって、東京新宿の道路工事現場他、多数の工事に携っていた時、時速６０ｋｍで走行して来る車両のある、大道路のど真中に、カラーコーンと、棒バリケードを出して車輌不可通行区分帯を速やかに作っていかなければならない際の他、交通事故現場でも、同様であった。  ――必ず多くの人手と、ガサ張るカラーコーン、並びに棒バリケードを大量にトラックに載せて、大移動しなければならない時、本発明品を用いた場合、普通トラックはいらず、小型トラックで間に合い、人員も小数となり、工事系費の削減にも役立ち、道路全長２００Ｍくらいの、バリケードによる速かなる仕切り作業には、これで充分に間に合うものとなった。
【産業上利用の可能性】
【００２０】  現在、我が日本国経済は、多くの疎かな政治家の多くが国会に選出されるままに、ＸバリューからＹバリュー化政策方針へと歪められ始めて来ている時に、ＸＶは、先進大国への道（政策）となり、ＹＶ政策方針は、発展途上国への（後退）路となる事の理さへ知らぬ有り様であった。（Ｔ．２００  示現流参照）
【００２１】  現在、西側欧米（経済）陣は、Ｘバリューに進み、経済大国を維持し続けた時、共産、社会主義思想を持つ、対比される、東側、東方（経済）陣では、発展途上国（経済）陣を形成し続けた要因は、貿易経済大国、日本を挟み、日本国家は、円をＸＶに進める時、株、外貨の高揚を来たし、欧米先進大国陣営に喰い込んで進み続けたが、ＹＶ化政策をした時、外貨、株価の低い、東側発展途上経済陣営に進み、今後、日本国経済は、西側経済陣営から剥離されるままに、東側に生じる、大規模な、中国にあるバブル経済（フレアー）に併呑される事への、経済学にある躍動力Ａ系数は、デフレスパイラルとなり、デフレスパイラルは、鼠算式に緊縮財政を起こし、中国の使用貨幣の「元」を割り込み、１元＝マイナス３６０円を切った時、中国を相手にして、日本の貿易は、始めて利益を生む、日本本来が持つ、余力（贅肉）を使い果した素形で、日本特持のバブル経済を起こす事が出来るものとなったが、この論文を見て笑われる者も認める中、この現象期間中は、日本国景気は、改復し、景気は良いものの、国民の所得は一切上がらぬものとなり、これを相対性理論の公式を使用すると次の様になる。
2008285985.tif 000004
2008285985.tif 000005
元々、マイナス要因数にあるので、中国（発展途上）バブル、マイナス、フレアー経済に、上乗せした際には（元単価低）Ｘ＋（−ｘ）Ｙ＝Ｚの計算式は、相対性理論、Ｅ２＝ｎの内にある四次元計算式にあって、今まで人類が知り得る３次元、方程式の上に進む物となる為、
2008285985.tif 000006
にある通貨元を掛け合わせた時、無から有を生じさせる、一瞬の内に、日本国日銀にある８００兆円の赤字国債と、中国にある元をして、Ｚ（但し、ＸとＹは同数とする。）は、８００兆円、θ単価に転じる物となり、一定の時間、空間（バブルフレア期）でθになったが、θ発生と共に、形体Ｚは８００兆円をプラスとするが、系数ＡがＸＶに傾むく時、＋８００兆兆円となり（バブル発生力学生じる。）経済学をして、無から有を発生させるには、躍動する景気経済実効力（フレア効果）を持つ時の（貨幣単価の低い）国にのみ有効性が発輝されるものとなる時、相対性理上にある四次元経済学を知らない日本国政府筋にある政策外交は、ＸＶに進むのか！  ＹＶに進むのか、疎にして、ＹＶに進むにした場合、上景気は得られるものの、日本国民の給与所得は、マイナスに転じたまま上がらない物となった。先進大国へ進もうとする者は、ＹＶに進んではいけない。とする警告でもあった。
【００２２】  それ故、筆者は、前者を否定し、日本国家、国民がして、独持のバブルフレアーを起こし、国民の所得をプラスに転じさせてゆくには、特許庁を特許省に変える程までに、世界に未だ無かった物を、日本国民の手と頭脳で作り上げてゆく、弛まない努力が積み重ねられた際には、日本人の持つ頭脳の優秀さと、手先の器用さを知る人々は、その驚異力を以って、Ｙバリューと、Ｙバリュー経済力を持つ  （油田開発等）他国に頼らなくとも、特自のＸバリュー  （ＵＦＯ型機、Ｔ．５９０．参照）を以って、世界に貢献してゆくものとなる時、
【００２３】  筆者は、とりあえず、一日十万個以上、店舗から消費排出できて、ゴミ処分に楽な物品の発明を考え続けた際、そこには、必ず、「必要と便利」が、必要不可欠となり、現在ある技術と素材でのみ出来、従来の技術現存品の総生量より、必ず０．０３％を得るＸＶに、Ａ系数を一定空間と時間内（分り易く言うと、本発明品が地上にある消費者に満ちる間）に保持出来る発明品の、ＸＶは、膨れ上がり、ＹＶをどんどん吸い込み、常にプラスとなる形体Ｚに表わされ続ける時、国民所得の上がり続ける物となった。（ＸＡ系数はニーズ力と呼ぶ）
【００２４】  今回、筆者が発明する、フリー帯、バリ、ブレラー。等も、本発明要項の全てを満している時、企業戦略上、安価格で出来、ＹＶ化政策にも、発展途上国を相手にしても、決っして負けない生産品となる時、産業上利用の可能性は極めて大きいものとなった。
【０】  末文で、Ｅ２＝ｎ⇒Ｘ＋Ｙ＝Ｚ、経済学理論は、今まだむつかしいので、尚、解説した際、、例を用いる、中国大陸でのランプが、国内品の１／１０単価で生産販売される時、安価格Ｙバリュー（販売ルートを持つ店舗）競争では、太刀打ちが出来ない物であったが、中国大陸に在るランプよりも安価格以下の電灯を国内でオートメーションに乗せ、制作される際に中国制ランプは、０．０３％のＡ系数を残すθ単価となり、ランプ価値は無くなり、逆に中国の人々は、ランプ１０個に対して、日本の電灯１個交換する外資差異計算が成される時、四次元計算式Ａ系数Ｘバリューは、Ｙバリューを持つ大国、中国に味方せず、形体Ｚに加算され、日本は、利潤をのみ受けるものの、マイナスＹバリューを保持する国家は、その躍動力を得て、Ｙバリュー価のみ減らす、相対相乗効果を得る物となった。
【図面の簡単な説明】
【００２５】
【図１】  現在、道路他、一定（危険）区域地帯が簡易的に封鎖されている事を示すのに、カラーコーン及び、それらを連結する時に用いられるプラスチックで出来た棒バリケードが主流となり、従来の技術で作られ続けた時、棒バリの長さは、一定寸法に決められており、必要時には、延ばす事も縮める事も出来なかった際、棒バリケードを（強靭な）帯バリケードに替え、そこに認意の拒絶色を施すまま、現在使用されているコンベックス・リールを用る、帯をリールの中に出し入れ出来る形状にし、認意の位置でストッパーをかけられる（新規性を持たせる）形状にした場合、ガサ張らず、軽量且つ、必要長さが自在となり、不使用時には、コンベックスの中に終って置き、場所を取らず、コンパクトのまま、いくつも袋の中に終って置き、使用時には、袋ごと持ち出す事で、大量に移動出来る事を示した図の他、
【００２６】  このコンベックス帯は簡易性を持ち、高所作業現場においては、いかなる腰ベルトにも単立で、すぐに取り付けられる。命綱（現在では、安全帯と呼称。）にも転用出来た事を示した図であり、コンベックスには、発光ペンダントが付いている事が示されている【００２７】
【図２】  現在、日本の家庭の食卓、テーブルの上でよく見かけるハエが、それに集らぬ様、傘の様に広げられて使用されているハエ帳の動作、機構には似せて創られるものとなるが、普通に在る雨傘とは、逆に、柄の部分を傘の上方の部位に引っ張り上げると、下方にある紅白色、若しくは、虎模を施こした、ビニール生地の骨付きの傘が袴状に開き、引っ張り上げられた時、柄の下に取り付けられた電灯が点灯するものとなり、その明るさは、現在、これらに使用されている、これに属するあらゆる警告灯に比して、大概、同電力を使用しながらも、およそ、十倍以上の照度を夜間、得る事が出来る様になり、足元が明るく、夜間の工事作業は、大変楽になり、車輪を運転する無知の第三者にも、いち早く危険を知らせる事が出来たが、本発明される、コンブレラーは、蠅帳と同じ構造で作っても良く、
【００２８】  本発明品の背丈を低くし、金属骨を太く丈夫な物に使用し、大型化させ、テントを作った場合、作業者の、冬期、雨天候の休憩場所に置いたり、ガードマンの治安場所にも適用でき、これを、そのまま、夏期、行楽、バカンスに用いるテントに転用した場合、パラソロワを乗用車のキャリアで積載した物と同じ感覚である事を示した図であった。
【符号の説明】
【００２９】１、現在も、日本の大人の人口の６０％は、何かと土木建設工事現場に携わった職業についてるものであったらしく、昔から、喰えなくなったら土方になれ、と言われる程、この職業についた者は、無事に食い繋ぐ事が出来た由以も、ここにあった。しかしながら、この職業には、キタナイ、キツイ、キケンが併い、「ケガと弁当は自分持ち」を唱える時代が長く続き、ケガをしたら最後とも、秘かに囁かれた。その言葉の通りに、悲惨な事故が多発し続け、社会が動揺し続けた近年、ケガをしたら、建設現場事業主が、ケガ人の責任を取る。と言う、法案、法規が、我国、国会で可欠した時、事業者は、作業者に対し、安全を念入りに心がける様になった。それでも高所作業場からの転落事故は、後を絶たなかった。――法規は更に進んだ。この作業時には、命綱、安全帯を必ず使用する事を義務付けた。すると、この高所作業、遂落時に、命綱が切断され、落下する事件が続発し続けた時、事業主は、作業者に対し、命綱を二本使用する様、勧告した際、これを用いた場合、転落事故は、やっと少くなったが、作業者は、高所作業時、命綱を二本腰につけて作業する時、これが邪馬になり作業しにくかった際、本発明が起こった。リール付安全帯コンベックスの二つの物を図に見られる様に、頑強に接合し、一つにし、背中、腰の中央に、安全ベルトに取り付け、引き出し、引き縮めをして使用する事を示した図を示し、２、現在、ホテル、ロビー等に多く見られる、リール付、帯バリケードで（知的財産権にある物）を示す図であったが、３、この既存する発明品を強靭且つ、小型化させ、頭部をのみ、取り外し、取り付けが出来、安全帯に簡易に取り付けられる金具を付ける他、４、安全帯に使用しない時には、カラーコーンに被せて、用いる事の出来、ゴム連結器で繋ぐ事の出来る様にさせ、５、この引き出された帯を必要長さで止められるストッパー等を兼ね備え備える、四つの新規性を持たせた場合、５、現在の技術にある命綱は、一度、安全バンドに取り付けたが最後、高所作業をしない時にも、常に、これに固縛したまま、邪馬になり、容易に取り除く事の出来ない構造の物であった際に、本図６に見られるクリップをコンベックスに付けた場合、高所作業をしない、安全ベルトから、命綱を容易に取り外す事が出来た事を示す図であり、７、この様に取り外された命綱は、単独で、いくつも繋ぎ合わせる事が出来る時、大変便利な物となった。８、カラーコーン９、コンベックスを二つに繋ぐ事で、二本の安全帯が出来る事を示す図であったが、上帯を紅、下帯を白色にすると、危険作業をしている人間の所在地が容易に、無知の第三者に伝える事が出来る物となった。（但し、紅青色の色取り合わせでもよかったが青は夜間、効力を出さない色となった。）９、単管フックと普通リングの取り替え自在鉤。１０、安
2008285985.tif 000007
１１、現在、各家庭の食卓上に用いられている蠅帳の骨組、原理と、ほぼ同じ構造を持つ物で、金属製．他の素材で作る柄を持つ物と紐を用いて作られる物を上方へ引っ張り上げると、下の傘が開き、ビニール布で覆われるその中には、電灯があって、これが点灯する仕組の新型カラーコーンを示す図であったが、試験的に、これを多く用いて工事現場で仕用した際、同じ警告灯の電力を仕用した場合でも、七倍以上、付近一帯が明るくなり、普通一般に日本の夏祭りに見られる現場の七倍以上の明るさの異常に驚く物となった。１２、蠅帳の骨組、機構を示す図。１３、新型カラーコーンを閉じた状態を示す図。１４、警告灯１５、発光ペンタント。（Ｔ．４２０．発光ペンダント参照）１６、重石。１７、重石に付随し、傘に被せて用いるビニール布。１８、骨組を太くし、蠅帳と同じ構造で作るテント。１９、単管フック。２０、単管。２１、円筒形コンベックス。２２、四角形コンベックス。２３、ゴムリング。２４、コンパクトに纏められ、袋詰めされたコンベクスを表わす図。２５、フリー帯２６、フリー帯をフック取替自在鉤に連結させ、吊し、命綱にしている図。２７、円柱型リールコンベックスに、スッポ抜ける様に被せ、コンペックスとカラーコーンを繋ぐ、ゴム連結器を示す図。
【図１】
2008285985.tif 000008
【図２】
2008285985.tif 000009
【手続補正書】
【提出日】平成19年5月30日(2007.5.30)
【手続補正１】
【補正対象書類名】明細書
【補正対象項目名】全文
【補正方法】変更
【補正の内容】
【発明の詳細な説明】
【技術分野】
【０００１】  従来の技術にある安全帯は、安全バンドから取り外す事が難しく、時間がかかった時、本発明、フリータイ（Ｔ．６６０）では、ワンタッチで取り付け、取り外しが出来る他、取り外され単立となった安全帯に拒絶色を施した際には非常に目立ち、天井から吊す命綱や、カラーコーンを繋ぐ、帯バリに転用でき、これに、別特許品、発光ペンダントを付加させると、（特に夜間の）高所作業者の所在地が適格に分別される他、危険回避に役立ち、安全帯は邪馬にはならず、二本組にする事も出来、自在に出来る技術力があった。
【背景技術】●発光ペンダント（Ｔ．４２０）●必ず眠れる枕（Ｔ．１）●示現流（Ｔ．２００）●ハンブレラ（Ｔ．５５０）
【発明の開示】
【発明が解決しようとする課題】
【０００２】  平成１９年３月５日（月）の事だったと思われた。新聞を見ると、学生の多く乗る電車が、通過する踏切りで遮断機の下りている所に、トレーラーが、「遮断機が見えなかった。」事を理由に、之に侵入し、電車と衝突をし、大事故となった事が、大きく報導されていた。【０００３】  筆者は、科学者であり、生物（動物）が持つと言われる拒絶色を研究している最中の事であった。トレーラー事故とは関係無かったのかも知れないが、読者（特に脳科医）は御存知であったであろうか？（Ｔ．４２０、発光ペンダント参照）【０００４】  あらゆる進化した脳、旧脳（小脳、海鳥類）をして、新脳（大脳、大脳皮質類）を持つまでに進化した生物類は、筆者が新代科学で提唱する「拒絶色」を知り、以って、これを嫌い、この色彩色を見る時、脳があらゆる拒絶反応を示し、この色を持つ物に対し、この色を持つ者に恐怖を覚える時、行動、動作に制御がかかり、さもしないうちに、この色が見えなくなる事もあった。しかしながら、これを無視し、見つつけた際には、脳機能に障害さへ、起こすものとなった。そして、（Ｔ．１  必ず眠れる枕、参照）
特に、これらの色合いは、簿暗い所で見ていると、その効果は、大きいものとなった。【０００５】  かなり広い敷地を持つ、公園に棲息する、ノラ猫の掴まえて食べる、トカゲ、蛇、バッタを長期に渡って観察していた際、彼等は、決って、茶色い胴体に対して、鮮明な青色や他にある拒絶色を持つトカゲ。拒絶色にある、マダラ模様を持つ、バッタの前では尻込みし、これを見逃し、食べないでいた。――之を捕獲する鼠も同じであった。【０００６】  筆者が、まだコドモであって、バッタ掴りをし、遊んでいた頃、毒々しい青色を茶色に対して体色に持つトカゲや、バッタを見る時、筆者のコドモの脳にも、之は、毒を持っているに違いない、と思えざるを得ず、そこから離れる所となったが、美しささへ、感じる者も出た《（この事は、死に怯える臨死床者の最後に、美しい花園（天国）が見える》事の脳機能切り替え状態にも似る程、絶絶色が生物に与える影響は大きかった。
これらの色合いは、現代科学でも、未だ、解明されず、保護色、警戒色とも呼ばれているものであったが、それは、明らかに違うものであり、筆者が、新代科学に提唱する、拒絶色が本当の所であったが、筆者の観察研究による所、これら小動物は、鼠、猫他、天敵の多い地区に多く発生する傾向が見られる他、甚しい者には、緑色の体に紅色を取り込んで、緑の草原に生息している者も多く見られた。（考証論理は、別論文記載。）【０００７】  それ故、本発明される、絶絶色、発明用語の、反対語は、やはり、本発明用語に用いられる、認意色となるものであり、黄色（茶色）磁性体色を中心にして、用いられ、この色を見る者は、認意感を得る為、不動時には、よく目立ちながらもにも、速度を得る時、記憶には残りづらく、踏切、遮断機に見られる、黄色に反対色の黒線、点を附加して、人が、日常、生活品、トラロープ。バリケードに用い、応用した場合、虎、豹、他蜂、蝶、熱帯魚等が、多く体色に用いる程までに、見る者の脳（視神経）をマヒさせ、催眠効果を起こさせる効果を持っている事は、レベル２に達っする事において、白と黒色を体色に選んで用いている、ゼブラ、パンダに次ぐものであった。（黄色も拒絶色であった。）【０００８】  分かり易く言うと、この色合いを見る者は、短期的に、脳神経に疑問効果を生じさせて後、二色以上用いた場合、すぐに、脳視神経が疲労する為、その疲労度数は、赤白、赤青等にある拒絶色より甚だ大きく、この色合いを長期間見続けた者には、催眠効果が表われ易く、（原因は、脳中に、アドレナリンから発生して後、メラトリンが交互に発生する為。）この間、不安を感じて後、迷彩感を得るものとなり、短期記憶に強く残りながら、この色合いを見る者にとっては、見てはいるものの、見えなくなる効果さへ生じさせている程、拒絶色の持つ特色と、驚異が表われ、大変危険な物となっていった。課題が生じた。
【課題を解決する為の手段】
【０００９】  それ故、筆者の論文は、現代科学を離れ、今までに無かった新代科学を提唱するに至っており、甚だ、分りづらい所もあるので、釈明される、――この色合いを見る者2008285985.tif 000010く為、きれいな熱帯魚を見た時の様な、心に安ぎを得る色合いを想定していただく効果があるものとなったが
【００１０】  この色合は、脳の興奮時にある短期記憶にある視覚神経には多大に作用するものの、前述される、その後、同等量のメラトリンが作用する後、催眠効果が生じる為、視覚神経の他、記憶神経、他にも働く際、目前にある実像、実形物さへ忘れてしまい、甚しい時には、意識障害さへ起こすものとなった。（Ｔ．必ず眠れる枕、参照）
【００１１】  つまり、鉄道が発促した、今から百数十年前には、夜間、住来する汽車などメッタになく、その頃、同時に発生し、現在に至るまで用いられる、黄色と、黒色ストライプを持つ拒絶色は、昼間の明るい所では、絶大な効力を発っするものの、簿暗い昏れ時にもなると、この色は、黒色のストライプで模模が目立たなくなる事において、安全色に変わっている事を、現代の科学を司る人々の未だ知らない所でもあったからであった。――即ち、白色の原色をレベル１の拒絶色とする時、レベル２を黄色、レベル３を青色、レベル４を赤色。レベル５を黒色………等に振り分けて、筆者等、研究グループが研究している現在の所において、それ以上は、前記、記される、原色の拒絶色を取り合わせて随時、進んでゆくものとなっていた。（当時は高速車も無かった。）
【００１２】  それ故、時代遅れとなり、現代科学進歩の遅れから、今だ、踏切り遮断機、他、土木建設現場、道路工事現場等において、甚だ多く、虎模様にある、ロープ、バリケード他が用いられて止まない時、この黄色と黒のストライプ模様に対して、黄色に黒を混ぜて茶色（茶色は実は迷彩色であった。）を作り、之に附加すると。
【発明の効果】
【００１３】  （通行人も気が付かない程の物になっており、これでは足りない、と思われる事から、夜間、昏れ時には、赤色灯を追備される事で事で足りる物にはなっていたが、赤色灯の無い所においては、前記、論文の内容から安全色になっており、危険地区、地帯に用いた場合、この色合いの物は、大変に危険なものになっていた。
【００１４】  考証論理で立証される時、この虎模様に、白色ストライプを加え、緑色のストライプを更に加えた際には、現代科学では、「迷彩色にある心理効果」と呼ぶが、筆者が提唱する新代、精神医科学に掴えた見地から、説明される。「拒絶色の増し加えられた心理効果」と呼び、人の見る視神経が拒絶する度数が、レベル５を越えた物として、論説した時、この色合いを見る者の目には、ほぼ、めくら状態にさへなるものであった。――即ち、現代において、使用されている踏切り、遮断機が、この様に浮れていたり、その近くに、青、白、緑、色の乱雑な色合いを持つ立て看板が多くあった時にも、この効果は生じる物となる際に、拒絶色は、催眠効果を得るままに、安全色となり、盲目のまま、吸い込まれる勢いで、そこに侵入してゆくものの、虎が狩術に体色に得ていた。
【発明を実施するための最良の形態】
【００１５】  それ故、拒絶色には、それ（催眠効果）を強める色合いの組み合わせ方と、そうでない色の組み合わせ方があったが、この様に色彩配列を間違えた場合、危険威示色にもなり、安全示勢色にもなる際、この色合の用い方は、大変に安全な物にも、大変危険な物にさへなった。（セロハンの円筒で、植物を囲うと植物は死んでしまう者も出る他、蜂や、虎は、動かないでいる時、大変目立って、動くと見えなくなる由以もここにあった。それ故、この色を見る者の動静は純くなるものであった。【００１６】  然るに、筆者が考えるに、「危険場所威示色」において、紅白色を用いた場合、遠方視覚に効果を出し、極至近距離においては、虎模様が絶大な効果を出す際、この二色割合での拒絶色の組み合わせ方は、現在、道路工事、交通整理、土木建設作業現場等に多く見られる、紅白のカラーコーンに、虎模様のバリケード棒を用い、危険のある箇所を、無知の第三者に知らせる方法としては、今以って最良の方法と思われたが、（疑問示勢色）【００１７】  年代も変わり、車輌速度、と車輌台数が増え続ける現代の状況を、道路工事に携わり、現状を踏まえ、観察した時、スピードを得る無知の第三に、危険箇所を（遠方有効）伝えるには、（特に夜間、昏れ時には、）虎模様は安全色（心理効果現象）に変わり易く、殆と役には立たず、（むしろ有害）を思わせる時、紅白のカラーコーンに対して、虎模様のバリケード棒を止め、紅帯に白の反射する縞模様を入れてするバリケードにコンベックスリールを用いて使用した際にはガサ張らず、使用時には、大変目立ち、素早く、これを出し入れ出来るものとなり、風、風圧に揺れ続けた。 それ故、【００１８】  従来の技術にある（ガサ張る）棒バリケードを作る（製作する）よりも、製作費や、ゴミにする時のコストが下がり、本発明品、固形型のコンベックスバリは軽量かつ、持ち運びにも便利となり、不使用時には、場所もとらず、ケミカル袋に大量に入れて保管する事も出来る形体物となり、使用時、風に揺れ動く際に、第三者の速度を純らせ。注意を得、
【実施例】
【００１９】  筆者がかつて、東京新宿の道路工事現場他、多数の工事に携っていた時、時速６０ｋｍで走行して来る車両のある、大道路のど真ん中に、カラーコーンと、棒バリケードを出して車輌不可通行区分帯を速やかに作っていかなければならない際の他、交通事故現場でも、同様であった。――必ず多くの人手と、ガサ張るカラーコーン、並びに棒バリケードを大量にトラックに載せて、大移動しなければならない時、本発明品を用いた場合、普通トラックはいらず、小型トラックで間に合い、人員も小数となり、工事系費の削減にも役立ち、道路全長２００ｍくらいの、バリケードによる速かなる仕切り作業には、これで充分に間に合うものとなった。
【産業上の利用可能性】
【００２０】  現在、我が日本国経済は、多くの疎かな政治家の多くが国会に選出されるままに、ＸバリューからＹバリュー化政策方針へと歪められ始めて来ている時に、Ｘｙは、先進大国への道（政策）となり、Ｘｙ方針は、発展途上国への（後退）路となる事の理さへ知らぬ有り様であった。（Ｔ．２００  示現流参照）【００２１】  現在、西側欧米（経済）陣は、Ｘバリューに進み、経済大国を維持し続けた時、共産、社会主義思想を持つ、対比される、東側、東方（経済）陣では、発展途上国（経済）陣を形成し続けた要因は、貿易経済大国、日本を挟み、日本国家は、円をＸｙに進める時、株、外貨の高揚を来たし、欧米先進大国陣営に喰い込んで進み続けたが、Ｘｙ化政策をした時、外貨、株価の低い、東側発展途上経済陣営に進み、今後、日本国経済は、西側経済陣営から剥離されるままに、東側に生じる、大規模な、中国にあるバブル経済（フレアー）に併呑される事への、経済学にある躍動力Ａ系数は、デフレスパイラルとなり、デフレスパイラルは、鼠算式に緊縮財政を起こし、中国の使用貨幣の「元」を割り込み、１元＝マイナス３６０円を切った時、中国を相手にして、日本の貿易は、始めて利益を生む、日本本来が持つ、余力（贅肉）を使い果した素形で、日本特特のバブル経済を起こす事が出来るものとなったが、この論文を見て笑われる者も認める中、この現象期間中は、日本国景気は、改復し、景気は良いものの、国民の所得は一切上がらぬものとなり、これを相対性理論の公式を使用すると次の様になる。
Ｅ２＝ｎ⇒Ｘ（３６０）円＋Ｙ（３６０）元＝３６０円元となるが、
Ｘ（８００）兆円＋Ｙ（８００）兆元＝８００兆円元とする時、左り８００兆円の数字は、日本の赤字国債にあっても元々、マイナス要因数にあるので、中国（発展途上）バブル、マイナス、フレアー経済に、上乗せした際には（元単価低）Ｘ＋（−ｘ）Ｙ＝Ｚの計算式は、相対性理論、Ｅ２＝ｎの内にある四次元計算式にあって、今まで人類が知り得る３次元、方程式の上に進む物となる為、上、Ｘ（８００）兆円＋Ｙ（８００）兆元＝Ｚ兆円元にある、形体Ｚは、±２＝Ｚとなる為、日本の通貨円と中国にある通貨元を掛け合わせた時、無から有を生じさせる、一瞬の内に、日本国日銀にある８００兆円の赤字国債と、中国にある元をして、Ｚ（但し、ＸとＹは同数とする。）は、８００兆円、θ単価に転じる物となり、一定の時間、空間（バブルフレア期）でθになったが、質量、形体Ｚ（８００兆円は残る為）は、プラスとなり、、系数ＡがＸｙに傾むく時、＋８００兆円となり、（バブル発生力学生じる。）経済学をして、無から有を発生させるには、躍動する景気経済実効力（フレア効果）を持つ時の（貨幣単価の低い）国にのみ有効性が発揮されるものとなる時、相対性理上にある四次元経済学を知らない日本国政府筋にある政策外交は、Ｘｙに進むのか！Ｘｙに進むのか、疎にして、Ｘｙに進むにした場合、上景気は得られるものの、日本国民の給与所得は、マイナスに転じたまま上がらない物となった。先進大国へ進もうとする者は、Ｘｙに進んではいけない。とする警告でもあった。【００２２】  それ故、筆者は、前者を否定し、日本国家、国民がして、独特のバブルフレアーを起こし、国民の所得をプラスに転じさせてゆくには、特許庁を特許省に変える程までに、世界に未だ無かった物を、日本国民の手と頭脳で作り上げてゆく、弛まない努力が積み重ねられた際には、日本人の持つ頭脳の優秀さと、手先の器用さを知る人々は、その驚異力を以って、Ｙバリューと、Ｙバリュー経済力を持つ、（油田開発等）他国に頼らなくとも、特自のＸバリュー（ＵＦＯ型機、Ｔ．５９０、参照）を以って、世界に貢献してゆくものとなる時、【００２３】  筆者は、とりあえず、一日十万個以上、店舗から消費排出できて、ゴミ処分に楽な物品の発明を考え続けた際、そこには、必ず「必要と便利」が、必要不可欠となり、現在ある技術と素材でのみ出来、従来の技術現存品の総生量より、必ず０．０３％を得るＸｙに、Ａ系数を一定空間と時間内（分り易く言うと、本発明品が地上にある消費者に満ちる間）に保持出来る発明品の。Ｘｙは、膨れ上がり、Ｘｙをどんどん吸い込み、常にプラスとなる形体Ｚに表わされ続ける時、国民所得の上がり続ける物となった。（ＸＡ系数はニーズカと呼ぶ）【００２４】  今回、筆者が発明する、フリー帯、バリ、ブレラー。等も本発明要項の全てを満している時、企業戦略上、安価格で出来、Ｘｙ化政策にも、発展途上国を相手にしても、決っして負けない生産品となる時、産業上利用の可能性は極めて大きいものとなった。
末文で、Ｅ２＝ｎ⇒Ｘ＋Ｙ＝Ｚ、経済学理論は、今まだむつかしいので、尚、解説した際、例を用いる、中国大陸でのランプが、国内品の１／１０単価で生産販売される時、安価格Ｙバリュー（中国ルートを持つ店舗）競争では、太刀打ちが出来ない物であったが、中国大陸に在るランプよりも安価格以下の電灯を国内でオートメーションに乗せ、制作される際に、中国制ランプは、０．０３％のＡ系数を残すθ単価となり、ランプ価値は無くなり、逆に中国の人々は、ランプ１０個に対して、日本の電灯１個交換する外資差異計算が成される時、四次元計算式Ａ系数Ｘバリューは、Ｙバリューを持つ大国、中国に味方せず、形体Ｚに加算され、日本は、利潤をのみ受けるものの、マイナスＹバリューを保持する国家は、その躍動力を得て、Ｙバリュー価のみ減らす、相対相乗効果を得る物となった。
【図面の簡単な説明】
【００２５】
【図１】  現在、道路他、一定（危険）区域地帯が簡易的に封鎖されている事を示すのに、カラーコーン及び、それらを連結する時に用いられるプラスチックで出来た棒バリケードが主流となり、従来の技術で作られ続けた時、棒バリの長さは、一定寸法に決められており、必要時には、延ばす事も縮める事も出来なかった際、棒バリケードを（強靱な）帯バリケードに替え、そこに認意の拒絶色を施すまま、現在使用されているコンベックス・リールを用る、帯をリールの中に出し入れ出来る形状にし、認意の位置でストッパーをかけられる（新規性を持たせる）形状にした場合、ガサ張らず、軽量且つ、必要長さが自在となり、不使用時には、コンベックスの中に終って置き、場所を取らず、コンパクトのまま、いくつも袋の中に終って置き、使用時には、袋ごと持ち出す事で、大量に移動出来る事を示した図の他、
【００２６】  このコンベックス帯は簡易性を持ち、高所作業現場においては、いかなる腰ベルトにも単立で、すぐに取り付けられる。命綱（現在では、安全帯と呼称。）にも転用出来た事を示した図であり、コンベックスには、発光ペンダントが付いている事が示されている【００２７】
【図２】  現在、日本の家庭の食卓、テーブルの上でよく見かけるハエが、それに集らぬ様、傘の様に広げられて使用されているハエ帳の動作、機構には似せて創られるものとなるが、普通に在る雨傘とは、逆に、柄の部分を傘の上方の部位に引っ張り上げると、下方にある紅白色、若しくは、虎模を施こした、ビニール生地の骨付きの傘が袴状に開き、引っ張り上げられた時、柄の下に取り付けられた電灯が点灯するものとなり、その明るさは、現在、これらに使用されている、これに属するあらゆる警告灯に比して、大概、同電力を使用しながらも、およそ、十倍以上の照度を夜間、得る事が出来る様になり、足元が明るく、夜間の工事作業は、大変楽になり、車輪を運転する無知の第三者にも、いち早く危険を知らせる事が出来たが、本発明される、コンブレラーは、蠅帳と同じ構造で作っても良く、現在、傘製造業者が、傘需給率（フレア満員）需用を持て余す中、使い捨て品となり、本発明品の背丈を低くし、金属骨を太く丈夫な物に使用し、大型化させ、テントを作った場合、作業者の、冬期、雨天候の休憩場所に置いたり、ガードマンの治安場所にも適用でき、これを、そのまま、夏期、行楽、バカンスに用いるテントに転用した場合、パラソロワを乗用車のキャリアで積載した物と同じ感覚である事を示した図であった。
【符号の説明】
【００２８】１．現在も、日本の大人の人口の６０％は、何かと土木建設工事現場に携わった職業についてるものであったらしく、昔から喰えなくなったら土方になれ、と言われる程、この職業についた者は、無事に食い繋ぐ事が出来た由以も、ここにあった。しかしながら、この職業には、キタナイ、キツイ、キケンが併い、「ケガと弁当は自分持ち」を唱える時代が長く続き、ケガをしたら最後とも、秘かに囁かれた。その言葉の通りに、悲惨な事故が多発し続け、社会が動揺し続けた近年、ケガをしたら、建設現場事業主が、ケガ人の責任を取る。と言う。法案、法規が、我国、国会で可欠した時、事業者は、作業者に対し、安全を念入りに心がける様になった。それでも高所作業場からの転落事故は、後を絶たなかった。――法規は更に進んだ。この作業時には、命綱、安全帯を必ず使用する事を義務付けた。すると、この高所作業、遂落時に、命綱が切断され、落下する事件が続発し続けた時、事業主は、作業者に対し、命綱を二本使用する様、勧告した際、これを用いた場合、転落事故は、やっと少くなったが、作業者は、高所作業時、命綱を二本腰につけて作業する時、これが邪馬になり作業しにくかった際、本発明が起こった。リール付安全帯
コンベックスの二つの物を図に見られる様に、頑強に接合し、一つにし、背中、腰の中央に、安全ベルトに取り付け、引き出し、引き縮めをして使用する事を示した図を示し、  ２．現在、ホテル、ロビー等に多く見られる、リール付、帯バリケードで（知的財産権にある物）を示す図であったが、  ３．この既存する発明品を強靱且つ、小型化させ、頭部をのみ、取り外し、取り付けが出来、安全帯に簡易に取り付けられる金具を付ける他、  ４．安全帯に使用しない時には、カラーコーンに被せて、用いる事の出来、ゴム連結器で繋ぐ事の出来る様にさせ、  ５．この引き出された帯を必要長さで止められるストッパー等を兼ね備え備える、四つの新規性を持たせた場合、  ５．現在の技術にある命綱は、一度、安全バンドに取り付けたが最後、高所作業をしない時にも、常に、これに固縛したまま、邪馬になり、容易に取り除く事の出来ない構造の物であった際に、本図６に見られるクリップをコンベックスに付けた場合、高所作業をしない、安全ベルトから、命綱を容易に取り外す事が出来た事を示す図であり、  ７．この様に取り外された命綱は、単独で、いくつも繋ぎ合わせる事が出来る時、大変便利な物となった。  ８．カラーコーン  ９．コンベックスを二つに繋ぐ事で、二本の安全帯が出来る事を示す図であったが、上帯を紅、下帯を白色にすると、危険作業をしている人間の所在地が容易に。無知の第三者に伝える事が出来る物となった。（但し、紅青色の色取り合わせでもよかったが青は夜間、遠距離に効果を出さない色となる。）  ９．単管フックと普通リングの取り替え自在物。  １０．安全帯は、紅白色を用いて、反対色のストライプ縞模様がある事が望ましい事を示す図。  １１．現在、各家底の食卓上に用いられている蠅帳の骨組、原理と、ほぼ同じ構造を持つ物で、金属製、他の素材で作る柄を持つ物と紐を用いて作られる物を上方へ引っ張り上げると、下の傘が開き、ビニール布で覆われるその中には、電灯があって、これが点灯する仕組の新型カラーコーンを示す図であったが、試験的に、これを多く用いて工事現場で仕用した際、同じ警告灯の電力を仕用した場合でも、七倍以上、付近一帯が明るくなり、普通一般に日本の夏祭りに見られる現場の七倍以上の明るさの異常に驚く物となった。  １２．蠅帳の骨組、機構を示す図。  １３．新型カラーコーンを閉じた状態を示す図。  １４．警告灯  １５．発光ペンダント。（Ｔ．４２０、発光ペンダント参照）  １６．重石。  １７．重石に付隋し、傘に被せて用いるビニール布。  １８．骨組を太くし、蠅帳と同じ構造で作るテント。  １９．単管フック。  ２０．単管。  ２１．円筒形コンベックス。  ２２．四角形コンベックス。  ２３．ゴムリング。  ２４．コンパクトに纏められ、袋詰めされたコンベクスを表わす図。  ２５．フリー帯  ２６．フリー帯をフック取替自在鉤に連結させ、吊し、命綱にしている図。  ２７．円柱型リールコンベックスに、スッポ抜ける様に被せ、コンベックスとカラーコーンを繋ぐ、ゴム連結器を示す図。  ２７．パラソロワを乗せる様に車に乗せた、テントブレラー  ２８．留釘  ２９．水袋
【手続補正２】
【補正対象書類名】図面
【補正対象項目名】全図
【補正方法】変更
【補正の内容】
【図１】
2008285985.tif 000011
【図２】
2008285985.tif 000012